(57)【要約】【要  約】【課  題】  人間や動物の臓器を取出し、これを後に処理するため、一時保冷しておくことを必要とする場合がある。このため、従来は、例えば、臓器を容器に入れ、この容器を氷を入れたバケツに入れて冷蔵するようにしている。しかしながら、このような手段は簡便ではあるものの、氷が溶けた水が容器をぬらすことになり、氷に不純物や菌が混入していると、極めて不衛生である。【解決手段】  中空部を有する本体に、前記中空部に連通する液体注入口と液体排出口を設け、前記本体に保冷・保温の対象物を入れる凹部を形成した。【選択図】        図２
2005140423.tif 000002
【特許請求の範囲】
【請求項１】
中空部を有する本体に、前記中空部に連通する液体注入口と液体排出口を設け、前記本体に保冷・保温の対象物を入れる凹部を形成したことを特徴とする保冷・保温装置。
【請求項２】
前記凹部の壁面は前記中空部の壁面であることを特徴とする請求項１記載の保冷・保温装置。
【請求項３】
前記液体注入口を前記本体の下方に、前記液体排出口を前記本体の上方に形成したことを特徴とする請求項１記載の保冷・保温装置。
【請求項４】
前記本体を、熱伝導性の良い金属により構成したことを特徴とする請求項１記載の保冷・保温装置。
【請求項５】
前記凹部を複数設けたことを特徴とする請求項１記載の保冷・保温装置。
【請求項６】
前記凹部をトレー状にしたことを特徴とする請求項１記載の保冷・保温装置。
【発明の詳細な説明】
【技術分野】
【０００１】
本発明は、臓器や特定の抽出液等を保冷したり、時には保温したりする保冷・保温装置に関するものである。
【背景技術】
【０００２】
人間や動物の臓器を取出し、これを後に処理するため、一時保冷しておくことを必要とする場合がある。このため、従来は、例えば、臓器を容器に入れ、この容器を氷を入れたバケツに入れて冷蔵するようにしている。
また、医療用の冷却装置として、人の患部などを冷やす冷却マットに冷却ユニットから冷却水を循環させるものが、特開平８−３０８８７０号公報により知られている。
【特許文献１】特開平８−３０８８７０号公報
【発明の開示】
【発明が解決しようとする課題】
【０００３】
しかしながら、上述のバケツによる手段は簡便ではあるものの、氷が溶けた水が容器をぬらすことになり、氷に不純物や菌が混入していると、極めて不衛生である。そこで、本発明は、衛生に関し十分配慮された保冷・保温装置を提供することを目的とする。
【課題を解決するための手段】
【０００４】
上記課題を解決するために、本発明の保冷・保温装置は中空部を有する本体に、前記中空部に連通する液体注入口と液体排出口を設け、前記本体に保冷・保温の対象物を入れる凹部を形成したことを特徴とする。
また、前記凹部の壁面は前記中空部の壁面であることを特徴とする。
また、前記液体注入口を前記本体の下方に、前記液体排出口を前記本体の上方に形成したことを特徴とする。
【０００５】
また、前記本体を、熱伝導性の良い金属により構成したことを特徴とする。
また、前記凹部を複数設けたことを特徴とする。
さらに、前記凹部をトレー状にしたことを特徴とする。
【発明の効果】
【０００６】
本発明の保冷・保温装置は上記のように構成することにより、保冷・保温対象物を所定の温度に保つことができる。そして、冷却水などの液体が保冷・保温対象物に触れることが無いので、衛生上好ましい状態で保冷・保温することができる。保冷。保温装置本体には複数の凹部が設けられているので複数の保冷・保温対象物を一度に多く保冷・保温することができる。また、液体注入口を本体下方に、液体水排出口を本体上方に設けたので、液体は効率よく凹部の側壁を所定の温度にすることができる。さらに、前記凹部の壁面は前記中空部の壁面であるように構成したので液体の熱を有効に保冷・保温対象物に伝えることができる。
【発明を実施するための最良の形態】
【０００７】
以下本発明の実施の形態を、図面を参照しながら説明する。
第１図に、示すように、保冷装置本体１の冷水注入口２と、冷水排出口３にパイプ４、５をつなぎ、パイプ４、５の他端を冷水装置６のポンプ６ｂと冷水タンク６ａとに接続する。６ｃは冷却機であり、冷水タンク６ａの冷水はパイプ６ｄを通ってポンプ６ｂに至る。保冷装置本体１は鉄、銅等の熱伝導性の良い金属で構成される。
【０００８】
保冷装置本体１は図２ａ、ｂ、図３に示すように箱状をしており、内部の中空部７は冷却水注入口２及び冷却水排出口３を除いて密閉構造となっている。そして、上方に開口した、複数の凹部８が設けられ、ここに、保冷の対象となる遠沈管９等が挿入される。冷却水注入口２は本体１の側壁下方に設けられ、冷却水排出口３は本体１の上記側壁と対向する側壁の上方に設けられている。冷却水注入口２を側壁の一方の端に設け、冷却水排出口３を側壁の他方の端、即ち冷却水注入口２と冷却水排出口３とが、上方から見て本体１の上面対角線状に位置して設けると冷却水による中空部７での冷却効果が良い。これは中空部７で冷却水が効率的に流れるためである。
【０００９】
冷却機６ｃによって冷却された冷却水は、冷却タンク６ａを出て、ポンプ６ｂに入り、パイプ４を通って冷却水注入口２から保冷装置本体１の中空部７に入る。冷却水は中空部７を通って冷却水排出口３から出る。この間に複数の凹部８の内壁を冷却し、ここに入れられた遠沈管９等の保冷対象物を保冷する。
この様な構造に構成することにより、冷却水は保冷対象物に触れることが無いので、衛生上好ましい状態で保冷することができる。保冷装置本体１には複数の凹部８が設けられているので複数の保冷対象物を一度に保冷することができる。また、冷却水注入口２を側壁下方に、冷却水排出口３を対向する側壁上方に設けたので、冷却水は効率よく凹部８側壁を冷却することができる。冷却水注入口２と冷却水排出口３とを本体１上方から見て本体１上面対角線状に位置して設けるとより効率は良い。
【００１０】
図４、図５に示すように、冷却水注入口２及び冷却水排出口３保冷装置本体１０を一つの凹部１１を持つトレー状にし、ここに保冷対象物を入れたトレー１１を置くように構成しても良い。中空部１３と冷却水注入口１３及び冷却水排出口１４との関係は図２、図３のものと同じである。
また、図６、図７に示すように、保冷装置本体１５を一つの深い凹部１６を持つものとし、ここに保冷対象物を入れた容器１７を挿入するように構成しても良い。中空部１８と冷却水注入口１９及び冷却水排出口２０との関係は図２、図３のものと同じである。
【００１１】
上述の例は、保冷装置についての例であるが、一定の温度付近に保温したい場合には、温水機を設け、ここから保温装置本体に温水を供給するようにしても良い。保温装置本体の構造は、図２〜７に示すものと同じでよい。
また、上述の例では冷却水を用いたが、水に限定されるものではなく、不凍液の入った液体など、必要に応じて任意の液体を利用することができる。
【産業上の利用可能性】
【００１２】
本発明の保冷・保温装置は臓器の保冷など、医療の現場で使用して有用なものである。
【図面の簡単な説明】
【００１３】
【図１】本発明の一実施例における保冷装置のシステムの原理図である。
【図２】ａは同保冷装置の断側面図（図３のＡ−Ａ断面図）である。ｂは同保冷装置の断側面図（図３のＢ−Ｂ断面図）である。
【図３】同保冷装置の斜視図である。
【図４】同他の実施例における保冷装置の断側面図（図５のＡ−Ａ断面図）である。
【図５】同保冷装置の斜視図である。
【図６】同他の実施例における保冷装置の断側面図（図７のＡ−Ａ断面図）である。
【図７】同保冷装置の斜視図である。
【符号の説明】
【００１４】
１、１０、１５：保冷装置本体
２、１３、１９：冷却水注入口
３、１４、２０：冷却水排出口
４、５、６ｄ：パイプ
６：冷却装置
６ａ：冷水タンク
６ｂ：ポンプ
６ｃ：冷却機
７、１３、１８：中空部
８、１１、１６：凹部
９：遠沈管
１２：トレー
１７：容器
【図１】
2005140423.tif 000003
【図２】
2005140423.tif 000004
【図３】
2005140423.tif 000005
【図４】
2005140423.tif 000006
【図５】
2005140423.tif 000007
【図６】
2005140423.tif 000008
【図７】
2005140423.tif 000009